(57)【要約】【課題】農業用ハウス周辺の排水を確実にかつ効率よく行い得る農業用ハウスシステムを提供する。【解決手段】農業用ハウスシステム１は、複数の農業用ハウス３０を農地上に併設してなるシステムであって、隣接する農業用ハウス３０は間隙地５を介して設置され、間隙地５の上には農業用ハウス３０間に接続された遮水シート１０が設けられ、遮水シート１０の上面が間隙地５の長手方向に沿って傾斜している。【選択図】図１
2019201583.tif 000002
【特許請求の範囲】
【請求項１】
複数の農業用ハウスを農地上に併設してなる農業用ハウスシステムであって、
隣接する前記農業用ハウスは間隙地を介して設置され、該間隙地の上には前記農業用ハウスに接続された遮水シートが設けられ、該遮水シートの上面が前記間隙地の長手方向に沿って傾斜していることを特徴とする農業用ハウスシステム。
【請求項２】
請求項１において、
前記農業用ハウスの側面の下部には、前記遮水シートを接続するための留め具が取り付けられていることを特徴とする農業用ハウスシステム。
【請求項３】
請求項１または２において、
前記遮水シートの上面に配して、前記遮水シートを固定するシート固定具をさらに備えており、
前記シート固定具は、前記間隙地の農地上面との間に前記遮水シートを挟み込む底部と、該底部の両端より起立し、前記農業用ハウスの側面との間に前記遮水シートを挟み込む側部とを備えていることを特徴とする農業用ハウスシステム。
【請求項４】
請求項１〜３のいずれか１項において、
前記遮水シートの下流側の端部に接続された排水溝をさらに含んでなることを特徴とする農業用ハウスシステム。
【請求項５】
請求項４において、
前記排水溝を通して排水された水を一時的に溜める貯水槽と、該貯水槽に溜まった水を汲み上げる汲み上げ機とをさらに備えていることを特徴とする農業用ハウスシステム。
【発明の詳細な説明】
【技術分野】
【０００１】
本発明は、複数の農業用ハウスを農地上に併設してなる農業用ハウスシステムに関する。
【背景技術】
【０００２】
従来のこの種のシステムでは、農業用ハウス周辺の排水のために、隣接した農業用ハウス間に排水溝を設けることが通例とされている（たとえば、特許文献１参照）。なお同文献のものでは、排水溝として明渠が設けられている。
【先行技術文献】
【特許文献】
【０００３】
【特許文献１】特開２００８−２１２１０４号公報
【発明の概要】
【発明が解決しようとする課題】
【０００４】
しかしながら、明渠や暗渠などの排水溝では、豪雨が続いた場合、溝内を流れる水が土壌中の水分移動により、農業用ハウスの中の土壌に浸入するおそれがある。また、暗渠であれば、暗渠周辺に配した透水性確保のためのもみ殻が微生物により分解され、透水性を失い、その結果、排水能力が低下してしまうという問題もある。
【０００５】
本発明は、このような事情を考慮して提案されたもので、その目的は、農業用ハウス周辺の排水を確実にかつ効率よく行うことができる農業用ハウスシステムを提供することにある。
【課題を解決するための手段】
【０００６】
上記目的を達成するために、本発明の農業用ハウスシステムは、複数の農業用ハウスを農地上に併設してなる農業用ハウスシステムであって、隣接する前記農業用ハウスは間隙地を介して設置され、該間隙地の上には前記農業用ハウスに接続された遮水シートが設けられ、該遮水シートの上面が前記間隙地の長手方向に沿って傾斜していることを特徴とする。
【発明の効果】
【０００７】
本発明の農業用システムは、上述した構成とされているため、農業用ハウス周辺の排水を確実にかつ効率よく行うことができる。
【図面の簡単な説明】
【０００８】
【図１】本発明の一実施形態に係る農業用ハウスシステムを模式的に示した概略平面図である。
【図２】図１のＸ−Ｘ線に対応した拡大縦断面図である。
【図３】図１のＹ−Ｙ線に対応した拡大縦断面図である。
【図４】同システムに用いられる遮水シートの農業用ハウスへの留め構造を示す説明図である。（ａ）は留め具の部分正面図、（ｂ）は留め構造の断面図である。
【図５】同遮水シートのハウス間へのシート固定具による固定構造を示す説明図である。（ａ）は正面図、（ｂ）は部分斜視図である。
【発明を実施するための形態】
【０００９】
以下には、本発明の実施の形態について、添付図面を参照しながら説明する。まず、農業用ハウスシステムの基本構成について説明する。
【００１０】
本農業用ハウスシステム１は、複数の農業用ハウス３０を農地上に併設してなるシステムである。隣接する農業用ハウス３０は間隙地５を介して設置されている。この間隙地５の上には農業用ハウス３０に接続された遮水シート１０が設けられ、遮水シート１０の上面が間隙地５の長手方向に沿って傾斜している。
【００１１】
ついで、本農業用ハウスシステム１（以下では、たんに「システム１」と言う）の詳細について、図１〜図４にもとづいて説明する。図１は本システム１を模式的に示した概略平面図、図２は図１のＸ−Ｘ線に対応した拡大縦断面図、図３は図１のＹ−Ｙ線に対応した拡大縦断面図である。また、図４は遮水シート１０の農業用ハウス３０に対する留め構造の説明図、図５は遮水シート１０の固定構造の説明図である。
【００１２】
本システム１における農業用ハウス３０（以下では、たんに「ハウス３０」と言う）は、図１に示すように、平面視長方形状とされ、複数のハウス３０が、ハウス３０の短手方向に所定間隔の間隙地５を介して並べて設置されている。
【００１３】
このハウス３０は、果樹、野菜、観賞用植物などの作物の栽培のための、育成環境を形成するビニールハウスである。ハウス３０は、図２に示すように、骨組を構成する複数のフレーム材３１およびビニール材などの透明材で形成された被覆材３２などで構成されている。この被覆材３２は、ハウス３０の屋根面３３、側面３４および妻面３５の全体を覆うように配されている。なお、図２中の３６は出入口、３７は窓である。
【００１４】
ハウス３０の屋根面３３には棟３３ａが形成され、その棟３３ａの両側が側面３４側に向けて下り傾斜した形状とされる。ハウス３０には樋は設置されておらず、図１に２点鎖線で示したように、屋根面３３に落ちてきた雨水は屋根面３３、側面３４を覆った被覆材３２を伝って地面へと流れ落ちるようになっている。
【００１５】
隣接するハウス３０間に設けた間隙地５は、遮水シート１０を敷いて排水路として形成されている。この排水路は水勾配があり（図３参照）、ハウス３０の短手方向に沿ってハウス３０の妻面３５側に向けて下り傾斜している。
【００１６】
このシステム１は、図１に示すように、遮水シート１０（排水路）の下流側の端部に接続された排水溝２０をさらに含んだものとしてもよい。なお、複数のハウス３０のうち両端に配されたハウス３０の外側においては、明渠または暗渠などの端部側排水路１５が形成され、これらの端部側排水路１５も排水溝２０に接続されている。
【００１７】
間隙地５に設けられた遮水シート１０は、図１および図２に示すように、隣り合うハウス３０間を結ぶように取り付けられ、入隅１３（図５参照）が形成されるように、シート固定具５０を用いて保形されている。これにより、間隙地５の幅寸法におおむね合致した、図１に示すような直線状のものに形成されている。図２に示したように、遮水シート１０は、その幅方向の端部側の部位をハウス３０の側面３４に沿わせるように起立させた状態で、ハウス３０の被覆材３２に重ねるように取り付けることが望ましい。
【００１８】
遮水シート１０は、図３に示すように、ハウス３０の側面３４に対応する両端側に起立面部１１が形成され、間隙地５に対応した中央に底面部１２が形成されるように取り付けされる。遮水シート１０のこのような取り付け構造については、図４および図５の説明とともに後述する。
【００１９】
遮水シート１０（排水路）の傾斜形状は、図３に示すように、間隙地５の地面に盛り土などをすることで形成されている。盛り土ではなく、遮水シート１０の下側に板体などを傾斜するように設けてもよい。このように傾斜させた遮水シート１０の底面部１２上を水が排水溝２０へと流れていく（図３の白抜き矢印）。なお、図３の２点鎖線は盛り土をする前の地面位置である。
【００２０】
ハウス３０間の排水路およびハウス３０の端部側排水路１５に接続された排水溝２０は、凹溝形状とされ、その溝底にコルゲート管、塩ビ管などよりなる排水管２２が配され、その上に砂利やボラ土などの透水性材料２１を敷き詰めて構成されている。なお、排水溝２０としては明渠であってもよい。
【００２１】
排水溝２０は、水勾配をもって配設されており、この排水溝２０を流れる排水は、下流側に設けてある貯水槽２５に一時的に貯められ、汲み上げ機２５ａで汲み上げて用水路２６へと排出されるようになっている。
【００２２】
以上のように、ハウス３０間の間隙地５には遮水シート１０による排水路が形成されているため、間隙地５に落下したり流れてきたりした雨水は、間隙地５の土中に染みこむことがなく、下流側の排水溝２０へと流れる。このような排水システムであるため、ハウス３０周辺の排水を確実にかつ効率よく行うことができる。また、間隙地５では排水が土中に染みこむことがほとんどないので、排水が土壌中の水分移動によりハウス３０内の土壌に浸入する可能性も低く、植物の育成に悪影響のない適正なハウス栽培を実施することができる。
【００２３】
また、遮水シート１０を用いた排水路であるため、明渠や暗渠などとは異なり、少ない工数で、低コストで施工することができる。特に、図４、図５で後述するような遮水シート１０の取り付け構造を採用すれば、既設の複数のハウス３０に後付けすることも容易である。
【００２４】
さらに、遮水シート１０による排水路は排水溝２０に接続されているため、ハウス３０周辺の排水をまとめて処理することができる。そのまとまった排水は、排水溝２０の下流側に設けられた貯水槽２５に貯めることができ、さらに貯水槽２５には汲み上げ機２５ａが併設されているため、貯水槽２５からハウス３０群側への排水の逆流も防止することができる。
【００２５】
また、遮水シート１０としては間隙地５の幅寸法よりも大きい幅のものを利用して、その幅方向の端部部位をハウス３０の被覆材３２に重ねて取り付けられている。そのため、間隙地５の両隣に設置されたハウス３０の土壌への水の流れ込みを抑制することができる。
【００２６】
遮水シート１０の長さ寸法（ハウス３０の長手方向に対応した寸法）は、間隙地５への直接の水の浸透を回避するためにハウス３０よりも長いことが望ましい。また、遮水シート１０の厚みは１ｍｍ以下であることが、加工容易性の観点からは望ましい。
【００２７】
ついで、遮水シート１０のハウス３０の側面３４への留め構造について図４を参照して説明し、さらに遮水シート１０の固定構造について図５を参照して説明する。
【００２８】
遮水シート１０は、両隣のハウス３０に架け渡すように設けられている。具体的には、遮水シート１０の幅方向の端部の起立面部１１が留め具４０によって両ハウス３０に接続されている。
【００２９】
この留め具４０は、基底部４１ａと、その幅方向の両端より互いに近づくように傾斜し起立した壁部４１ｂとよりなるレール形状の溝形材４１、および、その溝形材４１の内底面においてシートを固定するための波形棒状の弾性固定材４５とを備えてなる。溝形材４１は、ハウス３０の側面３４において、溝開口４１ｃを外側に向けるように、地面に略水平に配して、ハウス３０の支柱である複数のフレーム材３１にビス止めされている。
【００３０】
溝形材４１に対して被覆材３２は、溝形材４１の内壁面、内底面、内壁面に沿うように配され、その上に、遮水シート１０も同様に、溝形材４１の内壁面、内底面、内壁面に沿うように配されている。そして弾性固定材４５を内底面側に嵌め入れることにより、被覆材３２と遮水シート１０とは重なった状態で、複数箇所において弾性固定材４５の頂部４５ａにより溝形材４１の幅方向の外側に押圧され、固定される。なお、被覆材３２の下端部は地中に埋設されている。なお、被覆材３２を地中に埋設せず、遮水シート１０、被覆材３２の順に重ねて留め具４０で固定してもよい。
【００３１】
このような留め具４０を用いれば、このように被覆材３２と遮水シート１０を重ねた状態で簡単に両シートを固定することができるため、遮水シート１０のハウス３０への取り付けが簡単に行える。
【００３２】
また、この留め具４０と同種の固定具を、他の部位で、被覆材３２の弛み、揺れ防止用に用いてもよい。ようするに、この留め具４０を用いて被覆材３２を固定した既設のハウス３０に対しては、遮水シート１０を後付けすることもできる。例えば、被覆材３２を留め具４０を用いて固定し建設したハウス３０に対し、ハウス３０の側面３４の下部に設けた留め具４０に、さらに遮水シート１０を重ねて固定することができる。
【００３３】
さらにまた、１つの溝形材４１に対して２つの弾性固定材４５を嵌め入れることにより、固定してもよい。例えば、溝形材４１に対して１つ目の弾性固定材４５を嵌め入れて被覆材３２を固定し、さらに同じ溝形材４１に対して２つ目の弾性固定材４５を嵌め入れて遮水シート１０を固定する。この場合も被覆材３２を固定した既設のハウス３０に対して、遮水シート１０を後付けすることができる。
【００３４】
遮水シート１０のハウス３０への留め構造は、上記留め具４０によるものに限られず、他の固定具によるものであってもよい。
【００３５】
また、遮水シート１０は、一方のハウス３０の側面３４、間隙地５、他方のハウス３０の側面３４に接触して沿うように保形された状態にすることが望ましく、そのためにシート固定具５０が用いてある。
【００３６】
シート固定具５０は、間隙地５の農地上面との間に遮水シート１０を挟み込む底部５１と、底部５１の両端より起立し、ハウス３０の側面３４との間に遮水シート１０を挟み込む側部５２とを備えている。
【００３７】
このシート固定具５０は、帯状の板材を加工してなる折曲材とされ、ハウス３０の長手方向の複数箇所でハウス３０に固定されればよく、図５（ａ）（ｂ）に示すように、側部５２をハウス３０の支柱（フレーム材３１）にビスなどで固定すればよい。このようにすることで、シート固定具５０はハウス３０間に挟まれるように固定される。このシート固定具５０の材料としては、折り曲げ加工にて形成できる薄板金属などが望ましい。
【００３８】
このようにシート固定具５０を用いることで、遮水シート１０の底面部１２を凹凸の少ない平滑な面に形成でき、かつ底面部１２と起立面部１１との間におおむね直線状となった入隅１３を形成できる。
【００３９】
したがって、遮水シート１０の底面部１２を直線的で平滑な排水路として利用することができる。シート固定具５０として薄板のものを用いれば、排水路の流れを妨げるおそれもほとんどない。なお、遮水シート１０の下方の間隙地５は土であるため、厚めのシート固定具５０を用いた場合でも、シート固定具５０を上方に突出させないように押さえつけて排水路面が略平坦にすることが望ましい。また、シート固定具５０が上方に突出しないよう遮水シート１０の上に砂利や土を供給して排水路面を略平坦にしてもよい。
【００４０】
なお、遮水シート１０の固定構造としては、上記のシート固定具５０を用いるものには限られない。例えば、底面部１２上のハウス３０側の端部部位に砂利や石、土などの重しを置いて排水路面を形成するようにしてもよい。
【符号の説明】
【００４１】
１          農業用ハウスシステム（システム）
５          間隙地
１０        遮水シート
２０        排水溝
２５        貯水槽
２５ａ      汲み上げ機
３０        農業用ハウス（ハウス）
３４        側面
４０        留め具
４１        溝形材
５０        シート固定具
５１        底部
５２        側部
【図１】
2019201583.tif 000003
【図２】
2019201583.tif 000004
【図３】
2019201583.tif 000005
【図４】
2019201583.tif 000006
【図５】
2019201583.tif 000007